(57)【要約】【課題】通信品質の低下を抑制できるシールドコネクタ、及びこのシールドコネクタを備えるコネクタ付きシールドケーブルを提供する。【解決手段】シールドケーブルの端部に接続されるシールドコネクタであって、インナーハウジングと、シールドシェルと、シールドケーブルの端部において露出するいずれか一対の通信線の端部の周囲を覆うシールド部材とを備え、シールド部材は、一対の通信線を挟む一対の第１側面部と、第１連結面部と、各第１側面部の外側に折り重なる折り返し部とを有する第１シールド片と、各折り返し部の外側に接する一対の第２側面部と、第１連結面部に対向するように配置される第２連結面部とを有する第２シールド片と、を有するシールドコネクタ。【選択図】図３
2017098081.tif 000002
【特許請求の範囲】
【請求項１】
少なくとも一対の通信線を含む電線と、前記電線の周囲を一括して被覆するシールド導体とを有するシールドケーブルの端部に接続されるシールドコネクタであって、
前記電線の導体端部に接続される端子を保持するインナーハウジングと、
前記インナーハウジング及び前記シールドケーブルの端部を収容するシールドシェルと、
前記シールドケーブルの端部において露出するいずれか前記一対の通信線の端部に接し、その周囲を一括して覆うシールド部材と、を備え、
前記シールド部材は、導電性の板材で形成され、周方向の一部が開口する第１シールド片と、前記第１シールド片の前記開口を覆うように前記第１シールド片に嵌合される第２シールド片と、を有し、
前記第１シールド片は、前記一対の通信線を挟む一対の第１側面部と、前記第１側面部同士を繋ぐ第１連結面部と、前記各第１側面部の外側に折り重なる折り返し部と、を有し、
前記第２シールド片は、前記各折り返し部の外側に接する一対の第２側面部と、前記第１連結面部に対向するように配置され、前記第２側面部同士を繋ぐ第２連結面部と、を有するシールドコネクタ。
【請求項２】
前記第１側面部、前記第１連結面部及び前記第２連結面部のうち、いずれか１つに、前記一対の通信線の中間位置で内方に突出するように屈曲する屈曲部が形成されている請求項１に記載のシールドコネクタ。
【請求項３】
前記第２側面部の先端部に、前記第１連結面部の外側に接するように折り曲げられた爪部を有する請求項１又は請求項２に記載のシールドコネクタ。
【請求項４】
少なくとも一対の通信線を含む電線と、前記電線の周囲を一括して被覆するシールド導体とを有するシールドケーブルと、前記シールドケーブルの端部に接続されるシールドコネクタとを備えるコネクタ付きシールドケーブルであって、
前記シールドコネクタが、請求項１〜請求項３のいずれか１項に記載のシールドコネクタであるコネクタ付きシールドケーブル。
【発明の詳細な説明】
【技術分野】
【０００１】
本発明は、シールドケーブルの端部に接続されるシールドコネクタ、及びこのシールドコネクタを備えるコネクタ付きシールドケーブルに関する。特に、通信品質の低下を抑制できるシールドコネクタに関する。
【背景技術】
【０００２】
従来、自動車などの車両に搭載された電装品（ナビゲーション装置、ＥＴＣ（Ｅｌｅｃｔｒｏｎｉｃ  Ｔｏｌｌ  Ｃｏｌｌｅｃｔｉｏｎ）装置、モニタなど）と外部機器（カメラなど）との間や、電装品間の通信にシールドケーブルが利用されている。通信用のシールドケーブルは、一般に、通信線を含む電線と、電線の周囲を一括して被覆するシールド導体と、シールド導体の外周を被覆するシースとを有する。電線は、導体とその外周に絶縁被覆を有する。
【０００３】
通信線には、一対の通信線を撚り合わせたツイストペアケーブルが利用されている。特に、高速通信用の通信線の場合は、ノイズ対策として、一対の通信線の周囲を個別にシールド層で被覆したシールド付きツイストペアケーブル（ＳＴＰ：Ｓｈｉｅｌｄｅｄ  Ｔｗｉｓｔｅｄ  ＰａｉｒＣａｂｌｅ）が広く利用されている。
【０００４】
通常、シールドケーブルの端末には、シールドコネクタが取り付けられる。シールドコネクタは、シースを除去してシールド導体から電線を露出させたシールドケーブルの端部に接続することで、シールドケーブルに取り付けられる。シールドコネクタは、電線の導体端部に接続される端子を保持するインナーハウジングと、インナーハウジング及びシールドケーブルの端部を収容するシールドシェルとを備える。シールドシェルには、シールド導体が電気的に接続される（特許文献１を参照）。
【先行技術文献】
【特許文献】
【０００５】
【特許文献１】特開２００９−３７８２６号公報
【発明の概要】
【発明が解決しようとする課題】
【０００６】
シールドコネクタが接続されるシールドケーブルの端部では、シースを除去し、シールド導体から電線の端部を露出させると共に、インナーハウジングの端子に電線の導体端部を接続するために、電線の端部の撚り戻しが行われる。その際、通信線の端部において、その周囲に設けられたシールド層も除去されることになる。そのため、通信線端部において、シールド導体・シールド層の除去と端部の撚り戻しによりインピーダンスが変わる。よって、ケーブル端部でのインピーダンスの不整合により、信号の反射が発生し、通信品質の低下を招く虞がある。
【０００７】
本発明は上記事情に鑑みてなされたもので、本発明の目的の一つは、通信品質の低下を抑制できるシールドコネクタ、及びこのシールドコネクタを備えるコネクタ付きシールドケーブルを提供することにある。
【課題を解決するための手段】
【０００８】
本発明の一態様に係るシールドコネクタは、少なくとも一対の通信線を含む電線と、前記電線の周囲を一括して被覆するシールド導体とを有するシールドケーブルの端部に接続される。前記シールドコネクタは、前記電線の導体端部に接続される端子を保持するインナーハウジングと、前記インナーハウジング及び前記シールドケーブルの端部を収容するシールドシェルと、前記シールドケーブルの端部において露出するいずれか前記一対の通信線の端部に接し、その周囲を一括して覆うシールド部材とを備える。前記シールド部材は、導電性の板材で形成され、周方向の一部が開口する第１シールド片と、前記第１シールド片の前記開口を覆うように前記第１シールド片に嵌合される第２シールド片とを有する。前記第１シールド片は、前記一対の通信線を挟む一対の第１側面部と、前記第１側面部同士を繋ぐ第１連結面部と、前記各第１側面部の外側に折り重なる折り返し部とを有する。前記第２シールド片は、前記各折り返し部の外側に接する一対の第２側面部と、前記第１連結面部に対向するように配置され、前記第２側面部同士を繋ぐ第２連結面部とを有する。
【０００９】
本発明の一態様に係るコネクタ付きシールドケーブルは、少なくとも１本の通信線を含む電線と、前記電線の周囲を一括して被覆するシールド導体とを有するシールドケーブルと、前記シールドケーブルの端部に接続されるシールドコネクタとを備える。そして、前記シールドコネクタが、上記本発明の一態様に係るシールドコネクタである。
【発明の効果】
【００１０】
上記シールドコネクタ及びコネクタ付きシールドケーブルは、通信品質の低下を抑制できる。
【図面の簡単な説明】
【００１１】
【図１】実施形態１のコネクタ付きシールドケーブルを後方から見た概略斜視図である。
【図２】実施形態１のシールドコネクタを分解して示す概略分解斜視図である。
【図３】実施形態１のシールドコネクタにおけるシールド部材が通信線対の端部に取り付けられた状態を示す概略断面図である。
【図４】実施形態１のシールドコネクタにおけるシールド部材の取り付け前の状態を示す概略斜視図である。
【図５】図４に示すシールド部材の第１シールド片を示す概略斜視図である。
【図６】図４に示すシールド部材の第２シールド片を示す概略斜視図である。
【図７】図４に示すシールド部材を露出する通信線対の端部に配置した状態を示す概略断面図である。
【図８】実施形態１のシールドコネクタにおけるインナーハウジングの概略正面図である。
【図９】変形例１のシールドコネクタを分解して示す概略分解斜視図である。
【図１０】変形例１のシールドコネクタにおけるシールド部材が通信線対の端部に取り付けられた状態を示す概略断面図である。
【図１１】変形例１のシールドコネクタにおけるシールド部材の取り付け前の状態を示す概略斜視図である。
【図１２】図１１に示すシールド部材の第１シールド片を示す概略斜視図である。
【図１３】図１１に示すシールド部材の第２シールド片を示す概略斜視図である。
【図１４】図１１に示すシールド部材を露出する通信線対の端部に配置した状態を示す概略断面図である。
【発明を実施するための形態】
【００１２】
［本発明の実施形態の説明］
最初に本発明の実施態様を列記して説明する。
【００１３】
（１）本発明の一態様に係るシールドコネクタは、少なくとも一対の通信線を含む電線と、前記電線の周囲を一括して被覆するシールド導体とを有するシールドケーブルの端部に接続される。前記シールドコネクタは、前記電線の導体端部に接続される端子を保持するインナーハウジングと、前記インナーハウジング及び前記シールドケーブルの端部を収容するシールドシェルと、前記シールドケーブルの端部において露出するいずれか前記一対の通信線の端部に接し、その周囲を一括して覆うシールド部材とを備える。前記シールド部材は、導電性の板材で形成され、周方向の一部が開口する第１シールド片と、前記第１シールド片の前記開口を覆うように前記第１シールド片に嵌合される第２シールド片とを有する。前記第１シールド片は、前記一対の通信線を挟む一対の第１側面部と、前記第１側面部同士を繋ぐ第１連結面部と、前記各第１側面部の外側に折り重なる折り返し部とを有する。前記第２シールド片は、前記各折り返し部の外側に接する一対の第２側面部と、前記第１連結面部に対向するように配置され、前記第２側面部同士を繋ぐ第２連結面部とを有する。
【００１４】
上記シールドコネクタによれば、シールドケーブルの端部において露出する通信線対の端部の周囲をシールド部材で覆うことができる。したがって、ケーブル端部でのインピーダンスの不整合を小さくでき、通信品質の低下を抑制できる。
【００１５】
また、特定の通信線対にのみシールド部材を取り付けることが可能である。シールド部材は、第１シールド片と第２シールド片との組合体であり、第１シールド片が各第１側面部の外側に折り返し部を有し、その外側に第２シールド片の各第２側面部が接するように嵌め合わされる。折り返し部がそれぞれ第１側面部と第２側面部との間に挟まれてバネとして機能することにより、各第１側面部を通信線対の端部に弾性的に接触させることができる。これにより、第１側面部を通信線対の端部に密着させ易く、インピーダンスの不整合を小さくできる。また、折り返し部が第２側面部を押圧することで、第１シールド片と第２シールド片との密着力が高く、第１シールド片に第２シールド片が強固に取り付けられる。よって、シールド部材が通信線対の端部から脱落することを抑制できる。
【００１６】
（２）上記シールドコネクタの一形態として、前記第１側面部、前記第１連結面部及び前記第２連結面部のうち、いずれか１つに、前記一対の通信線の中間位置で内方に突出するように屈曲する屈曲部が形成されていることが挙げられる。
【００１７】
第１側面部、第１連結面部及び第２連結面部は、シールド部材において、通信線の端部に接する部分である。これらのうち、いずれか一つに、一対の通信線の中間位置で内方に突出するように屈曲する屈曲部が形成されていることで、屈曲部が通信線対の中間位置に入り込み、シールド部材を通信線対の各端部により接触させ易い。したがって、インピーダンスの不整合をより小さくでき、通信品質の低下をより抑制できる。
【００１８】
（３）上記シールドコネクタの一形態として、前記第２側面部の先端部に、前記第１連結面部の外側に接するように折り曲げられた爪部を有することが挙げられる。
【００１９】
第２側面部の先端部に爪部を有することで、この爪部により第１シールド片を把持することができ、第１シールド片から第２シールド片が外れることをより抑制できる。
【００２０】
（４）本発明の一態様に係るコネクタ付きシールドケーブルは、少なくとも一対の通信線を含む電線と、前記電線の周囲を一括して被覆するシールド導体とを有するシールドケーブルと、前記シールドケーブルの端部に接続されるシールドコネクタとを備える。そして、前記シールドコネクタが、上記（１）〜（３）のいずれか１つに記載のシールドコネクタである。
【００２１】
上記コネクタ付きシールドケーブルによれば、本発明の一態様に係るシールドコネクタを備えることで、シールドケーブルの端部において露出する特定の通信線対の端部の周囲をシールド部材で覆うことができる。したがって、ケーブル端部でのインピーダンスの不整合を小さくでき、通信品質の低下を抑制できる。
【００２２】
［本発明の実施形態の詳細］
本発明の実施形態に係るシールドコネクタ及びコネクタ付きシールドケーブルの具体例を、以下に図面を参照しつつ説明する。図中の同一符号は同一名称物を示す。なお、本発明はこれらの例示に限定されるものではなく、特許請求の範囲によって示され、特許請求の範囲と均等の意味および範囲内でのすべての変更が含まれることが意図される。
【００２３】
［実施形態１］
＜コネクタ付きシールドケーブル＞
図１〜図８を参照して、実施形態１のシールドコネクタ及びコネクタ付シールドケーブルを説明する。実施形態１のコネクタ付シールドケーブル１は、図１に示すように、シールドケーブル１００と、シールドケーブル１００の端部に接続されるシールドコネクタ１０とを備える。実施形態１のシールドコネクタ１０は、図２に示すように、インナーハウジング２０と、シールドシェル４０とを備える。実施形態１のシールドコネクタ１０の特徴の１つは、シールドケーブル１００の端部において露出する通信線対１２１，１２２の端部の周囲を覆うシールド部材６０を備える点にある。まず、シールドケーブル１００の構成を説明し、次いで、シールドコネクタ１０の構成について詳しく説明する。以下の説明では、シールドコネクタ１０のインナーハウジング２０側を前（正面）、シールドケーブル１００側を後とし、シールドシェル４０のベース４１（底板部４２）側を下、カバー５１（上板部５２）側を上として説明する。
【００２４】
＜シールドケーブル＞
シールドケーブル１００は、図２に示すように、複数の電線１１０と、これら電線１１０の周囲を一括して被覆するシールド導体１３０と、シールド導体１３０の外周を被覆するシース１４０とを有する。シールド導体１３０は、銅やアルミニウムといった導電性金属からなる編組線で形成され、シース１４０は、絶縁性の樹脂やゴムなどで形成されている。シールドケーブル１００の端部では、シース１４０が除去されると共に、シールド導体１３０の端部がシース１４０上に折り返され、シールド導体１３０から電線１１０の端部が露出している。複数の電線１１０の端部は撚り戻されて、並列に分岐されている。
【００２５】
シールドケーブル１００は、図３に示すように、１０本の電線１１０を有する。具体的には、高速通信用として、一対の通信線１２１，１２２とドレイン線１２３とを２組（計６本）、低速通信用として、一対の通信線１２４，１２５を１組（計２本）、並びに、電源線１２６（１本），グランド線１２７（１本）を有する。通信線１２１，１２２は、ＵＳＢ（Ｕｎｉｖｅｒｓａｌ  Ｓｅｒｉａｌ  Ｂｕｓ）３．０規格の通信線（最大通信速度：５Ｇｂｐｓ）であり、シールド層（図示せず）が設けられたドレイン線１２３付きの差動ペア・ケーブルである。通信線１２４，１２５は、ＵＳＢ２．０規格の通信線（最大通信速度：４８０Ｍｂｐｓ）であり、ツイストペアケーブルである。電線１１０のうち、ドレイン線１２３以外は、導体１１１の外周に絶縁被覆１１２を有する。シールドケーブル１００の端部では、電線１１０の端部が上下に５本ずつ分かれて横並びに配置されており、図２に示すように電線１１０の先端で導体１１１の端部が露出している。図３は、シールドケーブル１００（電線１１０）の先端側から見た断面図である。
【００２６】
シールドケーブル１００において、一対の通信線１２１，１２２は、その周囲に導電性の箔（例、銅箔やアルミニウム箔）を巻き付けてシールド層（図示せず）が被覆されており、シールド層にドレイン線１２３が接触するように配置されている。シールドケーブル１００の端部では、電線１１０を撚り戻す際にシールド層が除去されており、通信線１２１，１２２の端部がシールド層で覆われていない。
【００２７】
＜シールドコネクタ＞
（シールド部材）
シールド部材６０は、図２，図３に示すように、シールドケーブル１００の端部において、シールド導体１３０やシース１４０から露出する複数の電線１１０の端部のうち、シールド層が除去された通信線対１２１，１２２の端部に接するように、その周囲を一括して覆っている。図３に示すシールド部材６０の状態は、通信線対１２１，１２２の端部に取り付けた後の状態である。取り付け前の状態を示す図４〜図７を参照して、取り付け前のシールド部材６０について説明する。
【００２８】
シールド部材６０は、図４〜図６に示すように、周方向の一部が開口する第１シールド片６１（図５を参照）と、第１シールド片６１の開口を覆うように第１シールド片６１に嵌合される第２シールド片７１（図６を参照）とを有する。シールド部材６０は、第１シールド片６１と第２シールド片７１とを図４に示すように組み合わせ、嵌め合わせることで一体化され、通信線対１２１，１２２の端部を全周に亘って覆うことができる（図３を参照）。
【００２９】
（第１シールド片）
第１シールド片６１は、図４，図５に示すように、一対の通信線１２１，１２２（図３を参照）を挟む一対の第１側面部６２と、第１側面部６２同士を繋ぐ第１連結面部６３と、各第１側面部６２の外側に折り重なる折り返し部６４とを有する。第１シールド片６１において、一対の第１側面部６２が通信線対１２１，１２２の端部を縦方向から挟むようにしてもよいし、一対の第１側面部６２が通信線対１２１，１２２の端部を横方向から挟むようにしてもよい。ここでは、通信線対１２１，１２２の端部の並び方向を横方向（左右方向）とし、その方向に直交する方向を縦方向（上下方向）と呼ぶ。この例では、図３に示すように、各第１側面部６２が通信線対１２１，１２２の各端部にそれぞれに接し、両第１側面部６２が通信線対１２１，１２２の端部を縦方向から挟むように、第１シールド片６１が配置される。そのため、各第１側面部６２の幅が第１連結面部６３の幅よりも大きくなっている。第１側面部６２の幅及び第１連結面部６３の幅とは、長手方向に直交する横断面でのそれぞれの長さ（図３，図７を参照）のことである。第１シールド片６１は、第１連結面部６３の反対側が開口しており、この開口を通して横方向から通信線対１２１，１２２の端部に配置することができる。或いは、通信線対１２１，１２２の先端側から嵌め入れて配置することも可能である。
【００３０】
図５に示す第１シールド片６１は、各第１側面部６２、第１連結面部６３及び各折り返し部６４のそれぞれの面が平面で構成されている。各第１側面部６２、第１連結面部６３及び各折り返し部６４のうち、いずれか１つに屈曲部が形成されていてもよい。例えば、一方の通信線対１２１，１２２（図３を参照）の端部に接する第１連結面部６３に、通信線１２１，１２２の外周面に沿うように、外方に突出する屈曲部を形成することが挙げられる。これにより、第１連結面部６３を通信線１２１，１２２の端部に密着させ易くなる。また、通信線対１２１，１２２の各端部にそれぞれ接する第１側面部６２の少なくとも一方に、通信線対１２１，１２２の中間位置で内方に突出するように屈曲部を形成することが挙げられる。これにより、屈曲部が通信線対１２１，１２２の中間位置に入り込み、第１側面部６２を通信線対１２１，１２２の各端部に近接又は密着させ易くなる。
【００３１】
各折り返し部６４は、図４に示すように後述する第２シールド片７１の各第２側面部７２の内側に配置され、第１側面部６２と第２側面部７２との間に挟まれる。各折り返し部６４は、各第２側面部７２に接することで（図３を参照）、バネとして機能するように形成されている。
【００３２】
（第２シールド片）
第２シールド片７１は、図４，図６に示すように、第１シールド片６１の各折り返し部６４の外側に接する一対の第２側面部７２と、第１連結面部６３に対向するように配置され、第２側面部７２同士を繋ぐ第２連結面部７３とを有する。この例では、図４に示すように第１シールド片６１と第２シールド片７１とを組み合わせたとき、各第２側面部７２が各第１側面部６２と重複するように、各第２側面部７２の幅が第１側面部６２よりも若干大きい。
【００３３】
図６に示す第２シールド片７１は、各第２側面部７２、第２連結面部７３のそれぞれの面が平面で構成されており、横断面の形状が］状である。各第２側面部７２及び第２連結面部７３のうち、いずれか１つに屈曲部が形成されていてもよい。例えば、一方の通信線対１２１，１２２（図３を参照）の端部に接する第２連結面部７３に、通信線１２１，１２２の外周面に沿うように、外方に突出する屈曲部を形成することが挙げられる。これにより、第２連結面部７３を通信線１２１，１２２の端部に密着させ易くなる。
【００３４】
（シールド部材の組み立て方法）
第１シールド片６１の外側に第２シールド片７１を配置することで、シールド部材６０（図４を参照）が組み立てられる。第２シールド片７１は、第２連結面部７３の反対側が開口しており、この開口を通して横方向から第１シールド片６１の外側に配置することができる。或いは、第１シールド片６１の一端側から長手方向に沿って外装することでも配置可能である。
【００３５】
（シールド部材の取り付け方法）
図３，図７を参照して、シールド部材６０の取り付け方法を説明する。まず、図７に示すように、通信線対１２１，１２２の端部に対してシールド部材６０（第１シールド片６１及び第２シールド片７１）を配置する。その後、シールド部材６０の第２側面部７２を上下方向（図７中の白抜き矢印の方向）からカシメることで、第１シールド片６１と第２シールド片７１とを塑性変形させて嵌め合わす。これにより、第１シールド片６１に第２シールド片７１が嵌合され、図３に示すように通信線対１２１，１２２の端部にシールド部材６０が取り付けられる。シールド部材６０の取り付け後の状態（図３参照）は、取り付け前の状態（図７参照）に比較して、第２側面部７２間の間隔が狭められ、折り返し部６４を介して第１側面部６２が上下方向に圧縮される。これにより、各第１側面部６２と通信線対１２１，１２２の各端部との間の隙間が小さくなり、各第１側面部６２が通信線対１２１，１２２の各端部にそれぞれ接触するようになる。また、第１側面部６２と折り返し部６４との間の間隔も狭められる。図３に示す取り付け後の状態では、第２側面部７２の先端部がカシメ加工により、内側に折れ曲がっている。
【００３６】
〈材質・寸法〉
第１シールド片６１及び第２シールド片７１はそれぞれ、導電性の板材を折り曲げることにより形成されている。導電性の板材としては、銅やアルミニウムといった導電性金属の板材が利用できる。第１シールド片６１及び第２シールド片７１のサイズ（板材のサイズ）は、通信線対１２１，１２２の端部の周囲を一括して覆うことができるように適宜設定すればよい。例えば、通信線１２１，１２２の径、通信線対１２１，１２２の端部間の距離（横方向の長さ）、及び通信線対１２１，１２２の端部の露出長などに応じて適宜設定することが挙げられる。また、第１シールド片６１及び第２シールド片７１の厚さ（板材の厚さ）は、特に限定されないが、例えば０．１ｍｍ以上０．３ｍｍ以下、好ましくは０．１５ｍｍ以上０．２５ｍｍ以下とすることが挙げられる。特に、シールド部材６０において、第１側面部６２と第２側面部７２とが重複する箇所では、図４に示すように、折り返し部６４を挟み、３層構造になるため厚くなる。したがって、板材の厚さが厚すぎると、図２に示すように露出する通信線対１２１，１２２の端部にシールド部材６０を取り付ける際、周りの電線１１０端部と干渉する問題が生じ得る。板材の厚さを０．３ｍｍ以下とすることで、シールド部材６０をコンパクトにでき、通信線対１２１，１２２の端部にシールド部材６０を取り付け易い。一方、板材の厚さを０．１ｍｍ以上とすることで、シールド性を確保し易い。また、カシメ後の塑性変形状態を保持しやすく、シールド部材６０がズレたり脱落したりし難い。特に、第１側面部６２と第２側面部７２とが重複する箇所では、折り返し部６４を含めて３層構造になるため、より十分なシールド性を確保できる。
【００３７】
（インナーハウジング）
インナーハウジング２０は、図２に示すように電線１１０の導体１１１端部に接続される端子２２を保持する部材であり、絶縁性樹脂で形成されている。インナーハウジング２０は、端子２２を収納する端子孔２３が形成された本体部２１と、電線１１０の導体１１１端部が配置される配置部３１とを有する。インナーハウジング２０の本体部２１には、上下に５個ずつ端子孔２３が並んで形成されており（図８を参照）、各端子孔２３に端子２２が挿入されて収納されている。配置部３１は、本体部２１の上下方向の中間位置から後方に向かって延出するように、本体部２１と一体に設けられている。配置部３１には、導体１１１端部を配置するための配置溝が形成されている。
【００３８】
〈端子〉
端子２２は、導電性金属からなるメス型端子であり、本体部２１の端子孔２３に収納される角筒状の部分と、その後方に一体に形成されて導体１１１端部と電気的に接続される板状の部分とを有する。この板状部分は、配置部３１の配置溝に沿って配置される。導体１１１端部は、端子２２の板状部分に載置され、半田付けにより電気的に接続される。導体１１１端部と端子２２との接続は、通信線対１２１，１２２の端部にシールド部材６０を取り付けた後に行うとよい。インナーハウジング２０は、電線１１０の導体１１１端部に端子２２を接続された状態で、後述するベース４１に配置される。
【００３９】
〈凸部〉
インナーハウジング２０は、本体部２１及び配置部３１の各側面から突出する凸部２５を有する（図では、左側面のみ示しているが、反対側の右側面も同じである）。各凸部２５は、インナーハウジング２０の前後方向に並んで設けられており、それぞれ下方に向かってテーパ状に形成されている。各凸部２５は、後述するベース側板部４３に形成された各係合孔４５に係合される。
【００４０】
（シールドシェル）
シールドシェル４０は、図２に示すようにインナーハウジング２０及びシールド部材６０を含むシールドケーブル１００の端部を収容する部材であり、導電性金属で形成されている。シールドシェル４０は、前方から順にインナーハウジング２０を収容するハウジング収容部と、露出する電線１１０の端部を収容する電線収容部と、シールドケーブル１００の端部が挿入されるケーブル挿入部４０ｃとを有する。ケーブル挿入部４０ｃには、シールドケーブル１００の外径に対応した形状の開口が形成されている。シールドシェル４０は、インナーハウジング２０の下側に配置されるベース４１と、インナーハウジング２０の上側に配置され、ベース４１の上方から覆うように嵌合されるカバー５１とで構成されている。
【００４１】
（ベース）
ベース４１は、図２に示すように、インナーハウジング２０の下面を覆い、ケーブル挿入部４０ｃに向かって延伸される底板部４２と、インナーハウジング２０の両側面を覆うように底板部４２の両側から立設する一対のベース側板部４３とを有する。ベース側板部４３は、ケーブル挿入部４０ｃに向かって一連に形成されている。ベース４１は、金属製の板材を所定の形状に切断して折り曲げることにより形成されている。
【００４２】
〈係合孔〉
ベース４１のベース側板部４３には、インナーハウジング２０の凸部２５が係合される係合孔４５が形成されている。インナーハウジング２０をベース４１の上方から嵌め込むことで、インナーハウジング２０の凸部２５と、ベース側板部４３の係合孔４５とがそれぞれ係合して、インナーハウジング２０がベース４１に位置決めして固定される。
【００４３】
〈突起〉
また、ベース４１は、ベース側板部４３の外面から突出する突起４４を有する。突起４４は、後述するカバー側板部５３に形成された嵌合孔５４に嵌合される。この突起４４は、打ち出し（叩き出し）により形成され、下方に向かって膨出するようにドーム状に形成されている。突起４４の下方には外面との間に切れ目が形成されているが、この切れ目はベース側板部４３の外面（ベース４１の側面）を平面視したときに実質的に見えない。つまり、突起４４の形成部分は、ベース側板部４３の外面に直交する方向に実質的に開口していない。ベース側板部４３の外面からの突起４４の突出量は、カバー側板部５３の厚さ以下であり、突起４４は嵌合孔５４内に収まるようになっている。
【００４４】
（カバー）
カバー５１は、図２に示すように、インナーハウジング２０の上面を覆い、ケーブル挿入部４０ｃに向かって延伸される上板部５２と、ベース側板部４３の外側に重複するように上板部５２の両側から立設する一対のカバー側板部５３とを有する。カバー側板部５３は、ベース側板部４３の外側に重複して、ベース側板部４３の係合孔４５を覆う（図１を参照）。カバー側板部５３は、ケーブル挿入部４０ｃに向かって一連に形成されている。カバー５１は、ベース４１と同様に、金属製の板材を所定の形状に切断して折り曲げることにより形成されている。カバー５１は、インナーハウジング２０及びシールドケーブル１００（電線１１０）の端部がベース４１に配置された状態で、ベース４１の上方から取り付けられる。
【００４５】
〈嵌合孔〉
カバー５１のカバー側板部５３には、ベース側板部４３の突起４４が嵌合される嵌合孔５４が形成されている。ベース４１にカバー５１を嵌合したとき（図１を参照）、ベース側板部４３の突起４４とカバー側板部５３の嵌合孔５４とが嵌合することで、カバー５１がベース４１に位置決めして嵌合される。
【００４６】
〈バレル部・突出片〉
シールドケーブル１００の端部は、図２に示すように、折り返されたシールド導体１３０の端部の一部がシールドシェル４０内に収容され、残部がケーブル挿入部４０ｃから露出するように挿入される。ベース４１側のケーブル挿入部４０ｃには、後方に突出するバレル部８０が一体に形成されている。バレル部８０は、Ｕ字状をなし、両端から延びる一対の圧着片８１，８２を有する。バレル部８０の上方からシールド導体１３０の端部を挿入し、圧着片８１，８２をカシメることで、シールド導体１３０の端部に圧着片８１，８２が圧着される（図１を参照）。バレル部８０は、圧着片８１，８２をカシメてシールド導体１３０の端部に圧着したとき、圧着片８１，８２が互いに噛み合って円筒状をなすように形成されている。具体的には、圧着片８１は、テーパ状の突片を有し、圧着片８２は、圧着片８１の突片が嵌合するＶ状の切欠を有する二股状の突片を有する。
【００４７】
更に、カバー５１側のケーブル挿入部４０ｃには、バレル部８０に対向するように後方に突出する突出片８５が一体に形成されている。突出片８５は、シールドケーブル１００の外周面に沿うように円弧状に形成されている。突出片８５は、圧着片８１，８２をカシメてバレル部８０を圧着したとき（図１を参照）、圧着片８１，８２の内側に位置して押さえ付けられ、シールド導体１３０の端部に接触する。バレル部８０がシールド導体１３０の端部に圧着されることで、バレル部８０（圧着片８１，８２）及び突出片８５がシールド導体１３０の端部に接触し、シールドシェル４０とシールド導体１３０とが電気的に接続される。
【００４８】
＜作用効果＞
実施形態１のシールドコネクタ１０及びコネクタ付きシールドケーブル１は、次の効果を奏する。
【００４９】
（１）シールドケーブル１００の端部において、露出する通信線対１２１，１２２の端部にシールド部材６０が取り付けられ、シールド部材６０が通信線対１２１，１２２の端部に接触すると共に、その周囲を全周に亘って覆うことができる。したがって、シールド層が除去されて通信線対１２１，１２２の端部が露出するケーブル端部での、インピーダンスの不整合を小さくでき、通信品質の低下を抑制できる。
【００５０】
（２）シールド部材６０は、第１シールド片６１と第２シールド片７１との組合体であり、シールドケーブル１００の端部において露出する複数の電線１１０のうち、特定の通信線対１２１、１２２に選択的にシールド部材６０を取り付けることが可能である。
【００５１】
（３）第１シールド片６１が各第１側面部６２の外側に折り返し部６４を有し、その外側に第２シールド片７１の各第２側面部７２が接するように嵌め合わされる。各折り返し部６４が第１側面部６２と第２側面部７２との間に挟まれてバネとして機能することで、各第１側面部６２を通信線対１２１，１２２の端部に弾性的に接触させることができる。そのため、第１側面部６２を通信線対１２１，１２２の端部に密着させ易く、インピーダンスの不整合を小さくできる。また、第１シールド片６１と第２シールド片７１との密着力を高め、第１シールド片６１に第２シールド片７１が強固に取り付けられる。よって、シールド部材６０が通信線対１２１，１２２の端部から脱落し難い。
【００５２】
［変形例１］
図９〜図１４を参照して、変形例１のシールドコネクタを説明する。変形例１のシールドコネクタ１０は、シールド部材の形状が実施形態１と相違する。以下では、図２〜図７を参照して説明した実施形態１のシールドコネクタとの主な相違点であるシールド部材について説明し、実施形態１と同様の構成については同一符号を付して、その説明を省略する。
【００５３】
（シールド部材）
変形例１のシールド部材６０Ａは、図９，図１０に示すように、シールドケーブル１００の端部において、露出する複数の電線１１０の端部のうち、通信線対１２１，１２２の端部に接するように、その周囲を一括して覆っている。図１０に示すシールド部材６０Ａの状態は、通信線対１２１，１２２の端部に取り付けた後の状態である。取り付け前の状態を示す図１１〜図１４を参照して、取り付け前のシールド部材６０Ａについて説明する。
【００５４】
シールド部材６０Ａが、図１１〜図１３に示すように、第１シールド片６１（図１２を参照）と、第２シールド片７１（図１３を参照）とを有する点は、実施形態１と同じである。第１シールド片６１が一対の第１側面部６２と第１連結面部６３と折り返し部６４とを有する点、第２シールド片７１が第２側面部７２と第２連結面部７３とを有する点も実施形態１と共通する。シールド部材６０Ａは、第１シールド片６１と第２シールド片７１とを図１１に示すように組み合わせ、嵌め合わせることで一体化され、通信線対１２１，１２２の端部を全周に亘って覆うことができる（図９を参照）。
【００５５】
（第１シールド片）
変形例１における第１シールド片６１の実施形態１との主な相違点の１つは、図１０に示すように、一対の第１側面部６２が通信線対１２１，１２２の端部を横方向から挟むようにしている点である。具体的には、第１連結面部６３が通信線対１２１，１２２の各端部にそれぞれに接し、両第１側面部６２が通信線対１２１，１２２の端部を横方向から挟むように、第１シールド片６１が配置される。そのため、第１連結面部６３の幅が各第１側面部６２の幅よりも大きくなっている。また、図１２や図１４に示すように、第１シールド片６１において、第１連結面部６３に、通信線対１２１，１２２の中間位置で内方に突出するように屈曲部６５が形成されている点も相違点の１つである。
【００５６】
（第２シールド片）
変形例１における第２シールド片７１の実施形態１との主な相違点の１つは、図１３や図１４に示すように、第２連結面部７３に、通信線対１２１，１２２の中間位置で内方に突出するように屈曲部７５が形成されている点である。別の相違点は、各第２側面部７２の先端部に、第１シールド片６１の第１連結面部６３の外側に接するように折り曲げられた爪部７６を有する点である（図１０を参照）。
【００５７】
（シールド部材の取り付け方法）
図１０，図１４を参照して、シールド部材６０Ａの取り付け方法を説明する。まず、図１４に示すように、通信線対１２１，１２２の端部に対してシールド部材６０Ａを配置する。その後、シールド部材６０Ａの第２側面部７２を左右方向（図１４中の白抜き矢印の方向）にカシメることで、第１シールド片６１と第２シールド片７１とを嵌め合わす。これにより、第１シールド片６１に第２シールド片７１が嵌合され、図１０に示すように通信線対１２１，１２２の端部にシールド部材６０Ａが取り付けられる。シールド部材６０Ａの取り付け後の状態（図１０参照）は、取り付け前の状態（図１４参照）に比較して、第２側面部７２間の間隔が狭められ、折り返し部６４を介して第１側面部６２が左右方向に圧縮される。これにより、屈曲部６５及び屈曲部７５を起点に第１連結面部６３及び第２連結面部７３が変形して、屈曲部６５，７５が通信線対１２１，１２２の中間位置に入り込み、第１連結面部６３及び第２連結面部７３が通信線対１２１，１２２の各端部にそれぞれ接触するようになる。また、第１側面部６２と折り返し部６４との間の間隔も狭められると共に、第２側面部７２の爪部７６が第１連結面部６３の外側に接するように回り込む。
【００５８】
＜作用効果＞
変形例１のシールドコネクタ１０は、第１連結面部６３及び第２連結面部７３に屈曲部６５，７５が形成されていることで、屈曲部６５，７５が通信線対１２１，１２２の中間位置に入り込む。よって、シールド部材６０を通信線対１２１，１２２の各端部により接触させ易い。また、第２側面部７２の爪部７６が第１シールド片６１を把持するように第１連結面部６３の外側に接することで、第１シールド片６１と第２シールド片６２とがズレたり外れたりすることをより抑制できる。
【産業上の利用可能性】
【００５９】
本発明のシールドコネクタ及びコネクタ付きシールドケーブルは、高速通信用のシールドケーブルに好適に利用可能である。
【符号の説明】
【００６０】
１  コネクタ付きケーブル
１０  シールドコネクタ
２０  インナーハウジング
２１  本体部
２２  端子    ２３  端子孔
２５  凸部    ３１  配置部
４０  シールドシェル    ４０ｃ  ケーブル挿入部
４１  ベース
４２  底板部    ４３  ベース側板部
４４  突起    ４５，４６  係合孔
５１  カバー
５２  上板部    ５３  カバー側板部
５４  嵌合孔
６０，６０Ａ  シールド部材
６１  第１シールド片
６２  第１側面部    ６３  第１連結面部
６４  折り返し部    ６５  屈曲部
７１  第２シールド片
７２  第２側面部    ７３  第２連結面部
７５  屈曲部    ７６  爪部
８０  バレル部    ８１，８２  圧着片
８５  突出片
１００  シールドケーブル
１１０  電線
１１１  導体    １１２  絶縁被覆
１２１，１２２  通信線
１２３  ドレイン線
１２４，１２５  通信線
１２６  電源線    １２７  グランド線
１３０  シールド導体
１４０  シース
【図１】
2017098081.tif 000003
【図２】
2017098081.tif 000004
【図３】
2017098081.tif 000005
【図４】
2017098081.tif 000006
【図５】
2017098081.tif 000007
【図６】
2017098081.tif 000008
【図７】
2017098081.tif 000009
【図８】
2017098081.tif 000010
【図９】
2017098081.tif 000011
【図１０】
2017098081.tif 000012
【図１１】
2017098081.tif 000013
【図１２】
2017098081.tif 000014
【図１３】
2017098081.tif 000015
【図１４】
2017098081.tif 000016